(57)【特許請求の範囲】
【請求項１】
基地局であって、
無線リソース使用に従ってダウンリンクデータ送信に使用される周波数範囲における特殊タイムスロットを決定するよう構成される処理モジュールであって、前記特殊タイムスロットにおけるダウンリンク周波数リソースはアップリンク物理信号を送信するのに使用される、処理モジュールと、
特殊タイムスロットコンフィギュレーション情報をユーザ装置に送信するよう構成される送信モジュールであって、前記特殊タイムスロットコンフィギュレーション情報は、前記特殊タイムスロットにおける前記ダウンリンク周波数リソースを介し前記アップリンク物理信号を送信するよう前記ユーザ装置に指示するのに使用される、送信モジュールと、
前記特殊タイムスロットにおける前記ダウンリンク周波数リソースを介し前記ユーザ装置によって送信される前記アップリンク物理信号を受信し、前記アップリンク物理信号に従ってチャネル状態情報を取得するよう構成される受信モジュールと、
を有し、
前記特殊タイムスロットコンフィギュレーション情報は更に符号化シーケンス通知情報及び周波数リソース通知情報を含み、前記符号化シーケンス通知情報は、前記ユーザ装置が前記アップリンク物理信号を送信する際に用いられる符号化シーケンスを設定するのに利用され、前記周波数リソース通知情報は、前記特殊タイムスロットにおける前記ダウンリンク周波数リソースとアップリンク周波数リソースとの双方において前記アップリンク物理信号を前記基地局に送信するよう前記ユーザ装置に指示するのに利用される基地局。
【請求項２】
前記特殊タイムスロットコンフィギュレーション情報は更に期間通知情報を含み、前記期間通知情報は、前記ユーザ装置が前記特殊タイムスロットにおける前記ダウンリンク周波数リソース上で前記アップリンク物理信号を送信する際に占有される期間を示し、前記アップリンク物理信号を送信するための開始時間位置を示すのに使用される、請求項１記載の基地局。
【請求項３】
前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、周波数リソース通知情報によって通知される周波数リソースの一部である、請求項１又は２記載の基地局。
【請求項４】
前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される、請求項１乃至３何れか一項記載の基地局。
【請求項５】
ユーザ装置であって、
基地局によって送信される特殊タイムスロットコンフィギュレーション情報を受信するよう構成される受信モジュールであって、前記特殊タイムスロットコンフィギュレーション情報は、特殊タイムスロットにおけるダウンリンク周波数リソースを介しアップリンク物理信号を送信するよう前記ユーザ装置に指示するのに使用され、前記特殊タイムスロットは、ダウンリンクデータ送信に使用される周波数範囲において無線リソース使用に従って前記基地局によって決定され、前記特殊タイムスロットにおける前記ダウンリンク周波数リソースは前記アップリンク物理信号を送信するのに使用される、受信モジュールと、
前記基地局が前記アップリンク物理信号に従ってチャネル状態情報を取得するように、前記特殊タイムスロットにおける前記ダウンリンク周波数リソースを介し前記アップリンク物理信号を前記基地局に送信するよう構成される送信モジュールと、
を有し、
前記特殊タイムスロットコンフィギュレーション情報は更に符号化シーケンス通知情報及び周波数リソース通知情報を含み、前記符号化シーケンス通知情報は、前記ユーザ装置が前記アップリンク物理信号を送信する際に用いられる符号化シーケンスを設定するのに利用され、前記周波数リソース通知情報は、前記特殊タイムスロットにおける前記ダウンリンク周波数リソースとアップリンク周波数リソースとの双方において前記アップリンク物理信号を前記基地局に送信するよう前記ユーザ装置に指示するのに利用されるユーザ装置。
【請求項６】
前記特殊タイムスロットコンフィギュレーション情報は更に期間通知情報を含み、前記期間通知情報は、前記ユーザ装置が前記特殊タイムスロットにおける前記ダウンリンク周波数リソース上で前記アップリンク物理信号を送信する際に占有される期間を示し、前記アップリンク物理信号を送信するための開始時間位置を示すのに使用される、請求項５記載のユーザ装置。
【請求項７】
前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、周波数リソース通知情報によって通知される周波数リソースの一部である、請求項５又は６記載のユーザ装置。
【請求項８】
前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される、請求項５乃至７何れか一項記載のユーザ装置。
【請求項９】
チャネル状態情報取得方法であって、
基地局が、無線リソース使用に従ってダウンリンクデータ送信に使用される周波数範囲における特殊タイムスロットを決定するステップであって、前記特殊タイムスロットにおけるダウンリンク周波数リソースはアップリンク物理信号を送信するのに使用される、決定するステップと、
前記基地局が、特殊タイムスロットコンフィギュレーション情報をユーザ装置に送信するステップであって、前記特殊タイムスロットコンフィギュレーション情報は、前記特殊タイムスロットにおける前記ダウンリンク周波数リソースを介し前記アップリンク物理信号を送信するよう前記ユーザ装置に指示するのに使用される、送信するステップと、
前記基地局が、前記特殊タイムスロットにおける前記ダウンリンク周波数リソースを介し前記ユーザ装置によって送信される前記アップリンク物理信号を受信し、前記アップリンク物理信号に従ってチャネル状態情報を取得するステップと、
を有し、
前記特殊タイムスロットコンフィギュレーション情報は更に符号化シーケンス通知情報及び周波数リソース通知情報を含み、前記符号化シーケンス通知情報は、前記ユーザ装置が前記アップリンク物理信号を送信する際に用いられる符号化シーケンスを設定するのに利用され、前記周波数リソース通知情報は、前記特殊タイムスロットにおける前記ダウンリンク周波数リソースとアップリンク周波数リソースとの双方において前記アップリンク物理信号を前記基地局に送信するよう前記ユーザ装置に指示するのに利用される方法。
【請求項１０】
前記特殊タイムスロットコンフィギュレーション情報は更に期間通知情報を含み、前記期間通知情報は、前記ユーザ装置が前記特殊タイムスロットにおける前記ダウンリンク周波数リソース上で前記アップリンク物理信号を送信する際に占有される期間を示し、前記アップリンク物理信号を送信するための開始時間位置を示すのに使用される、請求項９記載の方法。
【請求項１１】
前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、周波数リソース通知情報によって通知される周波数リソースの一部である、請求項９又は１０記載の方法。
【請求項１２】
前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される、請求項９乃至１１何れか一項記載の方法。
【請求項１３】
チャネル状態情報取得方法であって、
ユーザ装置が、基地局によって送信される特殊タイムスロットコンフィギュレーション情報を受信するステップであって、前記特殊タイムスロットコンフィギュレーション情報は、特殊タイムスロットにおけるダウンリンク周波数リソースを介しアップリンク物理信号を送信するよう前記ユーザ装置に指示するのに使用され、前記特殊タイムスロットは、ダウンリンクデータ送信に使用される周波数範囲において無線リソース使用に従って前記基地局によって決定され、前記特殊タイムスロットにおける前記ダウンリンク周波数リソースは前記アップリンク物理信号を送信するのに使用される、受信するステップと、
前記ユーザ装置が、前記基地局が前記アップリンク物理信号に従ってチャネル状態情報を取得するように、前記特殊タイムスロットにおける前記ダウンリンク周波数リソースを介し前記アップリンク物理信号を前記基地局に送信するステップと、
を有し、
前記特殊タイムスロットコンフィギュレーション情報は更に符号化シーケンス通知情報及び周波数リソース通知情報を含み、前記符号化シーケンス通知情報は、前記ユーザ装置が前記アップリンク物理信号を送信する際に用いられる符号化シーケンスを設定するのに利用され、前記周波数リソース通知情報は、前記特殊タイムスロットにおける前記ダウンリンク周波数リソースとアップリンク周波数リソースとの双方において前記アップリンク物理信号を前記基地局に送信するよう前記ユーザ装置に指示するのに利用される方法。
【請求項１４】
前記特殊タイムスロットコンフィギュレーション情報は更に期間通知情報を含み、前記期間通知情報は、前記ユーザ装置が前記特殊タイムスロットにおける前記ダウンリンク周波数リソース上で前記アップリンク物理信号を送信する際に占有される期間を示し、前記アップリンク物理信号を送信するための開始時間位置を示すのに使用される、請求項１３記載の方法。
【請求項１５】
前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、周波数リソース通知情報によって通知される周波数リソースの一部である、請求項１３又は１４記載の方法。
【請求項１６】
前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される、請求項１３乃至１５何れか一項記載の方法。
【発明の詳細な説明】
【技術分野】
【０００１】
本発明の実施例は、通信技術に関し、特にチャネル状態情報取得方法及び装置に関する。
【背景技術】
【０００２】
移動端末の広い普及によって、無線通信ネットワークによって必要とされるスペクトルリソースはますます逼迫してきており、スペクトル利用効率を向上させる方法が特に重要になっている。最近提案された大規模複数入力複数出力システムにおける基地局のアンテナ数を増加することによってシステムスペクトル利用を向上させることは、広範な注目を受けてきた。この無線送信手段では、システムがより高いスループットレートを取得するように、基地局は、プリコーディング、マルチユーザスケジューリング及びマルチユーザペアリングなどの処理を完了させるため、ユーザ間の干渉及びチャネルフェーディングを処理するため、ダウンリンクチャネル状態情報を取得する必要がある。
【０００３】
周波数分割複信システムでは、アップリンク及びダウンリンクチャネルにより占有される周波数帯は異なり、通常は、アップリンク及びダウンリンクチャネルの周波数レスポンスは互いに独立している。従って、周波数分割複信システムでは、パイロット信号がチャネル推定を実行するため受信端において利用される必要があり、それから、チャネル状態情報がアップリンクチャネルを利用することによって送信端にフィードバックされる。
【０００４】
端末がダウンリンク時間周波数リソースにおいてチャネル状態情報を測定することによってチャネル推定を実行し、基地局に測定結果をフィードバックする技術的手段では、システムキャパシティは低く、システムオーバヘッドはアンテナ数が増加するに従って劇的に増加する。
【発明の概要】
【０００５】
本発明の実施例は、チャネル状態情報を取得する際に生じるシステムオーバヘッドを低減するため、チャネル状態情報取得方法及び装置を提供する。
【０００６】
第１の態様によると、本発明の実施例は、基地局であって、
無線リソース使用に従ってダウンリンクデータ送信に使用される周波数範囲における特殊タイムスロットを決定するよう構成される処理モジュールであって、前記特殊タイムスロットにおけるダウンリンク周波数リソースはアップリンク物理信号を送信するのに使用される、処理モジュールと、
特殊タイムスロットコンフィギュレーション情報をユーザ装置に送信するよう構成される送信モジュールであって、前記特殊タイムスロットコンフィギュレーション情報は、前記特殊タイムスロットにおけるダウンリンク周波数帯を介し前記アップリンク物理信号を送信するよう前記ユーザ装置に指示するのに使用される、送信モジュールと、
前記特殊タイムスロットにおけるダウンリンク周波数帯を介し前記ユーザ装置によって送信される前記アップリンク物理信号を受信し、前記アップリンク物理信号に従ってチャネル状態情報を取得するよう構成される受信モジュールと、
を有する基地局を提供する。
【０００７】
第１の態様の第１の可能な実現方式では、前記特殊タイムスロットコンフィギュレーション情報は、前記特殊タイムスロットにおける前記ダウンリンク周波数帯において使用される周波数リソース通知情報を含む。
【０００８】
第１の態様又は第１の態様の第１の可能な実現方式を参照して、第２の可能な実現方式では、前記周波数リソース通知情報は、前記特殊タイムスロットにおけるダウンリンク周波数リソース上で前記アップリンク物理信号を送信するよう前記ユーザ装置に指示するのに使用され、
前記受信モジュールは相応して具体的に、前記特殊タイムスロットにおける前記ダウンリンク周波数リソース上で前記ユーザ装置によって送信される前記アップリンク物理信号を受信し、前記アップリンク物理信号に従ってチャネル推定を実行し、ダウンリンクチャネル状態情報を取得するよう構成される。
【０００９】
第１の態様又は第１の態様の第１の可能な実現方式を参照して、第３の可能な実現方式では、前記周波数リソース通知情報は、前記特殊タイムスロットにおける前記ダウンリンク周波数リソースとアップリンク周波数リソースとの双方において前記アップリンク物理信号を送信するよう前記ユーザ装置に指示するのに使用され、
前記受信モジュールは相応して具体的に、前記特殊タイムスロットにおける前記ダウンリンク周波数リソース上で前記ユーザ装置によって送信される前記アップリンク物理信号を受信し、前記アップリンク物理信号に従ってチャネル推定を実行し、ダウンリンクチャネル状態情報とアップリンクチャネル状態情報とを取得するよう構成される。
【００１０】
第１の態様又は第１の態様の第１の可能な実現方式を参照して、第４の可能な実現方式では、前記周波数リソース通知情報は、前記特殊タイムスロットにおけるダウンリンク周波数リソースの一部において前記アップリンク物理信号を送信するよう前記ユーザ装置に指示するのに使用され、
前記受信モジュールは相応して具体的に、前記特殊タイムスロットにおけるダウンリンク周波数リソースの一部において前記ユーザ装置によって送信される前記アップリンク物理信号を受信し、前記アップリンク物理信号に従ってチャネル推定を実行し、ダウンリンクチャネル状態情報を取得するよう構成される。
【００１１】
第１の態様から第１の態様の第４の可能な実現方式を参照して、第５の可能な実現方式では、前記特殊タイムスロットコンフィギュレーション情報は更に期間通知情報を含み、前記期間通知情報は、前記ユーザ装置が前記特殊タイムスロットにおける周波数リソース上で前記アップリンク物理信号を送信する際に占有される期間を示し、前記アップリンク物理信号を送信するための開始時間位置を示すのに使用される。
【００１２】
第１の態様から第１の態様の第４の可能な実現方式を参照して、第６の可能な実現方式では、前記特殊タイムスロットコンフィギュレーション情報は更に符号化シーケンス通知情報を含み、前記符号化シーケンス通知情報は、前記ユーザ装置が前記アップリンク物理信号を送信する際に使用される符号化シーケンスを設定するのに使用される。
【００１３】
第１の態様から第１の態様の第４の可能な実現方式を参照して、第７の可能な実現方式では、前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、前記周波数リソース通知情報によって通知される周波数リソースの一部である。
【００１４】
第１の態様の第５の可能な実現方式から第１の態様の第７の可能な実現方式を参照して、第８の可能な実現方式では、前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される。
【００１５】
第２の態様によると、本発明の実施例は、ユーザ装置であって、
基地局によって送信される特殊タイムスロットコンフィギュレーション情報を受信するよう構成される受信モジュールであって、前記特殊タイムスロットコンフィギュレーション情報は、特殊タイムスロットにおけるダウンリンク周波数帯を介しアップリンク物理信号を送信するよう前記ユーザ装置に指示するのに使用され、前記特殊タイムスロットは、ダウンリンクデータ送信に使用される周波数範囲において無線リソース使用に従って前記基地局によって決定され、前記特殊タイムスロットにおけるダウンリンク周波数リソースは前記アップリンク物理信号を送信するのに使用される、受信モジュールと、
前記基地局が前記アップリンク物理信号に従ってチャネル状態情報を取得するように、前記特殊タイムスロットにおける前記ダウンリンク周波数帯を介し前記アップリンク物理信号を前記基地局に送信するよう構成される送信モジュールと、
を有するユーザ装置を提供する。
【００１６】
第２の態様の第１の可能な実現方式では、前記特殊タイムスロットコンフィギュレーション情報は、前記特殊タイムスロットにおける前記ダウンリンク周波数帯において使用される周波数リソース通知情報を含む。
【００１７】
第２の態様又は第２の態様の第１の可能な実現方式を参照して、第２の可能な実現方式では、前記周波数リソース通知情報は、前記特殊タイムスロットにおける前記ダウンリンク周波数リソース上で前記アップリンク物理信号を送信するよう前記ユーザ装置に指示するのに使用され、
前記送信モジュールは相応して具体的に、前記特殊タイムスロットにおける前記ダウンリンク周波数リソース上で前記アップリンク物理信号を前記基地局に送信するよう構成される。
【００１８】
第２の態様又は第２の態様の第１の可能な実現方式を参照して、第３の可能な実現方式では、前記周波数リソース通知情報は、前記特殊タイムスロットにおける前記ダウンリンク周波数リソースとアップリンク周波数リソースとの双方において前記アップリンク物理信号を送信するよう前記ユーザ装置に指示するのに使用され、
前記送信モジュールは相応して具体的に、前記特殊タイムスロットにおける前記ダウンリンク周波数リソースと前記アップリンク周波数リソースとの双方において前記アップリンク物理信号を前記基地局に送信するよう構成される。
【００１９】
第２の態様又は第２の態様の第１の可能な実現方式を参照して、第４の可能な実現方式では、前記周波数リソース通知情報は、前記特殊タイムスロットにおけるダウンリンク周波数リソースの一部において前記アップリンク物理信号を送信するよう前記ユーザ装置に指示するのに使用され、
前記送信モジュールは相応して具体的に、前記特殊タイムスロットにおけるダウンリンク周波数リソースの一部において前記アップリンク物理信号を前記基地局に送信するよう構成される。
【００２０】
第２の態様から第２の態様の第４の可能な実現方式を参照して、第５の可能な実現方式では、前記特殊タイムスロットコンフィギュレーション情報は更に期間通知情報を含み、前記期間通知情報は、前記ユーザ装置が前記特殊タイムスロットにおける周波数リソース上で前記アップリンク物理信号を送信する際に占有される期間を示し、前記アップリンク物理信号を送信するための開始時間位置を示すのに使用される。
【００２１】
第２の態様から第２の態様の第４の可能な実現方式を参照して、第６の可能な実現方式では、前記特殊タイムスロットコンフィギュレーション情報は更に符号化シーケンス通知情報を含み、前記符号化シーケンス通知情報は、前記ユーザ装置が前記アップリンク物理信号を送信する際に使用される符号化シーケンスを設定するのに使用される。
【００２２】
第２の態様から第２の態様の第４の可能な実現方式を参照して、第７の可能な実現方式では、前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、前記周波数リソース通知情報によって通知される周波数リソースの一部である。
【００２３】
第２の態様の第５の可能な実現方式から第２の態様の第７の可能な実現方式を参照して、第８の可能な実現方式では、前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される。
【００２４】
第３の態様によると、本発明の実施例は、チャネル状態情報取得方法であって、
基地局が、無線リソース使用に従ってダウンリンクデータ送信に使用される周波数範囲における特殊タイムスロットを決定するステップであって、前記特殊タイムスロットにおけるダウンリンク周波数リソースはアップリンク物理信号を送信するのに使用される、決定するステップと、
前記基地局が、特殊タイムスロットコンフィギュレーション情報をユーザ装置に送信するステップであって、前記特殊タイムスロットコンフィギュレーション情報は、前記特殊タイムスロットにおけるダウンリンク周波数帯を介し前記アップリンク物理信号を送信するよう前記ユーザ装置に指示するのに使用される、送信するステップと、
前記基地局が、前記特殊タイムスロットにおけるダウンリンク周波数帯を介し前記ユーザ装置によって送信される前記アップリンク物理信号を受信し、前記アップリンク物理信号に従ってチャネル状態情報を取得するステップと、
を有する方法を提供する。
【００２５】
第３の態様の第１の可能な実現方式では、前記特殊タイムスロットコンフィギュレーション情報は、前記特殊タイムスロットにおける前記ダウンリンク周波数帯において使用される周波数リソース通知情報を含む。
【００２６】
第３の態様又は第３の態様の第１の可能な実現方式を参照して、第２の可能な実現方式では、前記周波数リソース通知情報は、前記特殊タイムスロットにおけるダウンリンク周波数リソース上で前記アップリンク物理信号を送信するよう前記ユーザ装置に指示するのに使用され、
相応して、前記基地局が、前記特殊タイムスロットにおけるダウンリンク周波数帯を介し前記ユーザ装置によって送信される前記アップリンク物理信号を受信し、前記アップリンク物理信号に従ってチャネル状態情報を取得するステップは、
前記基地局が、前記特殊タイムスロットにおける前記ダウンリンク周波数リソース上で前記ユーザ装置によって送信される前記アップリンク物理信号を受信し、前記アップリンク物理信号に従ってチャネル推定を実行し、ダウンリンクチャネル状態情報を取得するステップを含む。
【００２７】
第３の態様又は第３の態様の第１の可能な実現方式を参照して、第３の可能な実現方式では、前記周波数リソース通知情報は、前記特殊タイムスロットにおける前記ダウンリンク周波数リソースとアップリンク周波数リソースとの双方において前記アップリンク物理信号を送信するよう前記ユーザ装置に指示するのに使用され、
相応して、前記基地局が、前記特殊タイムスロットにおけるダウンリンク周波数帯を介し前記ユーザ装置によって送信される前記アップリンク物理信号を受信し、前記アップリンク物理信号に従ってチャネル状態情報を取得するステップは、
前記基地局が、前記特殊タイムスロットにおける前記ダウンリンク周波数リソース上で前記ユーザ装置によって送信される前記アップリンク物理信号を受信し、前記アップリンク物理信号に従ってチャネル推定を実行し、ダウンリンクチャネル状態情報とアップリンクチャネル状態情報とを取得するステップを含む。
【００２８】
第３の態様又は第３の態様の第１の可能な実現方式を参照して、第４の可能な実現方式では、前記周波数リソース通知情報は、前記特殊タイムスロットにおけるダウンリンク周波数リソースの一部において前記アップリンク物理信号を送信するよう前記ユーザ装置に指示するのに使用され、
相応して、前記基地局が、前記特殊タイムスロットにおけるダウンリンク周波数帯を介し前記ユーザ装置によって送信される前記アップリンク物理信号を受信し、前記アップリンク物理信号に従ってチャネル状態情報を取得するステップは、
前記基地局が、前記特殊タイムスロットにおけるダウンリンク周波数リソースの一部において前記ユーザ装置によって送信される前記アップリンク物理信号を受信し、前記アップリンク物理信号に従ってチャネル推定を実行し、ダウンリンクチャネル状態情報を取得するステップを含む。
【００２９】
第３の態様から第３の態様の第４の可能な実現方式を参照して、第５の可能な実現方式では、前記特殊タイムスロットコンフィギュレーション情報は更に期間通知情報を含み、前記期間通知情報は、前記ユーザ装置が前記特殊タイムスロットにおける周波数リソース上で前記アップリンク物理信号を送信する際に占有される期間を示し、前記アップリンク物理信号を送信するための開始時間位置を示すのに使用される。
【００３０】
第３の態様から第３の態様の第４の可能な実現方式を参照して、第６の可能な実現方式では、前記特殊タイムスロットコンフィギュレーション情報は更に符号化シーケンス通知情報を含み、前記符号化シーケンス通知情報は、前記ユーザ装置が前記アップリンク物理信号を送信する際に使用される符号化シーケンスを設定するのに使用される。
【００３１】
第３の態様から第３の態様の第４の可能な実現方式を参照して、第７の可能な実現方式では、前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、前記周波数リソース通知情報によって通知される周波数リソースの一部である。
【００３２】
第３の態様の第５の可能な実現方式から第３の態様の第７の可能な実現方式を参照して、第８の可能な実現方式では、前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される。
【００３３】
第４の態様によると、本発明の実施例は、チャネル状態情報取得方法であって、
ユーザ装置が、基地局によって送信される特殊タイムスロットコンフィギュレーション情報を受信するステップであって、前記特殊タイムスロットコンフィギュレーション情報は、前記特殊タイムスロットにおけるダウンリンク周波数帯を介しアップリンク物理信号を送信するよう前記ユーザ装置に指示するのに使用され、前記特殊タイムスロットは、ダウンリンクデータ送信に使用される周波数範囲において無線リソース使用に従って前記基地局によって決定され、前記特殊タイムスロットにおけるダウンリンク周波数リソースは前記アップリンク物理信号を送信するのに使用される、受信するステップと、
前記ユーザ装置が、前記基地局が前記アップリンク物理信号に従ってチャネル状態情報を取得するように、前記特殊タイムスロットにおける前記ダウンリンク周波数帯を介し前記アップリンク物理信号を前記基地局に送信するステップと、
を有する方法を提供する。
【００３４】
第４の態様の第１の可能な実現方式では、前記特殊タイムスロットコンフィギュレーション情報は、前記特殊タイムスロットにおける前記ダウンリンク周波数帯において使用される周波数リソース通知情報を含む。
【００３５】
第４の態様又は第４の態様の第１の可能な実現方式を参照して、第２の可能な実現方式では、前記周波数リソース通知情報は、前記特殊タイムスロットにおける前記ダウンリンク周波数リソース上で前記アップリンク物理信号を送信するよう前記ユーザ装置に指示するのに使用され、
相応して、前記ユーザ装置が、前記特殊タイムスロットにおける前記ダウンリンク周波数帯を介し前記アップリンク物理信号を前記基地局に送信するステップは、
前記ユーザ装置が、前記特殊タイムスロットにおける前記ダウンリンク周波数リソース上で前記アップリンク物理信号を前記基地局に送信するステップを含む。
【００３６】
第４の態様又は第４の態様の第１の可能な実現方式を参照して、第３の可能な実現方式では、前記周波数リソース通知情報は、前記特殊タイムスロットにおける前記ダウンリンク周波数リソースとアップリンク周波数リソースとの双方において前記アップリンク物理信号を送信するよう前記ユーザ装置に指示するのに使用され、
相応して、前記ユーザ装置が、前記特殊タイムスロットにおける前記ダウンリンク周波数帯を介し前記アップリンク物理信号を前記基地局に送信するステップは、
前記ユーザ装置が、前記特殊タイムスロットにおける前記ダウンリンク周波数リソースと前記アップリンク周波数リソースとの双方において前記アップリンク物理信号を前記基地局に送信するステップを含む。
【００３７】
第４の態様又は第４の態様の第１の可能な実現方式を参照して、第４の可能な実現方式では、前記周波数リソース通知情報は、前記特殊タイムスロットにおけるダウンリンク周波数リソースの一部において前記アップリンク物理信号を送信するよう前記ユーザ装置に指示するのに使用され、
相応して、前記ユーザ装置が、前記特殊タイムスロットにおける前記ダウンリンク周波数帯を介し前記アップリンク物理信号を前記基地局に送信するステップは、
前記ユーザ装置が、前記特殊タイムスロットにおけるダウンリンク周波数リソースの一部において前記アップリンク物理信号を前記基地局に送信するステップを含む。
【００３８】
第４の態様から第４の態様の第４の可能な実現方式を参照して、第５の可能な実現方式では、前記特殊タイムスロットコンフィギュレーション情報は更に期間通知情報を含み、前記期間通知情報は、前記ユーザ装置が前記特殊タイムスロットにおける周波数リソース上で前記アップリンク物理信号を送信する際に占有される期間を示し、前記アップリンク物理信号を送信するための開始時間位置を示すのに使用される。
【００３９】
第４の態様から第４の態様の第４の可能な実現方式を参照して、第６の可能な実現方式では、前記特殊タイムスロットコンフィギュレーション情報は更に符号化シーケンス通知情報を含み、前記符号化シーケンス通知情報は、前記ユーザ装置が前記アップリンク物理信号を送信する際に使用される符号化シーケンスを設定するのに使用される。
【００４０】
第４の態様から第４の態様の第４の可能な実現方式を参照して、第７の可能な実現方式では、前記特殊タイムスロットコンフィギュレーション情報は更に第１のサブ周波数リソース通知情報を含み、前記第１のサブ周波数リソース通知情報は、前記ユーザ装置が前記特殊タイムスロットにおいて前記アップリンク物理信号を送信する際に占有される第１のサブ周波数リソースを示すのに使用され、前記第１のサブ周波数リソースは、前記周波数リソース通知情報によって通知される周波数リソースの一部である。
【００４１】
第４の態様の第５の可能な実現方式から第４の態様の第７の可能な実現方式を参照して、第８の可能な実現方式では、前記特殊タイムスロットコンフィギュレーション情報は更に、ユーザクラスタ通知情報と第２のサブ周波数リソース通知情報とを含み、前記ユーザクラスタ通知情報はユーザクラスタを通知するのに使用され、前記ユーザクラスタは複数のユーザ装置を含み、前記第２のサブ周波数リソース通知情報は、前記ユーザクラスタにおける前記ユーザ装置のそれぞれが前記特殊タイムスロットにおいて前記アップリンク物理信号を送信する際に使用される第２のサブ周波数リソースを通知するのに使用される。
【００４２】
本発明の実施例において提供されるチャネル状態情報取得方法及び装置によると、基地局は、無線リソース使用に従ってダウンリンクデータ送信に使用される周波数範囲において特殊タイムスロットを決定し、特殊タイムスロットコンフィギュレーション情報をユーザ装置に送信し、ここで、当該特殊タイムスロットコンフィギュレーション情報は、特殊タイムスロットにおけるダウンリンク周波数帯を介しアップリンク物理信号を送信するようユーザ装置を設定するのに使用され、チャネル状態情報を取得するため、ユーザ装置により送信されるアップリンク物理信号を受信した後にアップリンク物理信号に従ってチャネル推定を実行する。ユーザ装置がチャネル状態情報を取得し、それからチャネル状態情報を基地局にフィードバックする従来技術における技術的手段と比較して、基地局によってチャネル状態情報を取得する際に生じるシステムオーバヘッドが低減される。
【図面の簡単な説明】
【００４３】
本発明の実施例又は従来技術における技術的手段をより明確に説明するため、以下は、実施例又は従来技術を説明するのに必要とされる添付図面を簡単に説明する。明らかに、以下の説明における添付図面は本発明のいくつかの実施例を示し、当業者は、創作的な努力なく、これらの添付図面から他の図面を依然として導出してもよい。
【図１】図１は、本発明の実施例１による基地局の概略的な構成図である。
【図２】図２は、本発明の実施例１によるユーザ装置の概略的な構成図である。
【図３】図３は、本発明の実施例１によるチャネル状態情報取得方法のフローチャートである。
【図４】図４は、本発明の実施例２によるチャネル状態情報取得方法のフローチャートである。
【発明を実施するための形態】
【００４４】
本発明の実施例の課題、技術的手段及び効果をより明確にするため、以下は、本発明の実施例における添付図面を参照して、本発明の実施例における技術的手段を明確且つ完全に説明する。明らかに、説明される実施例は本発明の実施例の全てでなく一部である。創作的な努力なく本発明の実施例に基づき当業者により取得される他の全ての実施例は、本発明の保護範囲内に属する。
【００４５】
本発明の実施例において、周波数分割複信（Ｆｒｅｑｕｅｎｃｙ  Ｄｉｖｉｓｉｏｎ  Ｄｕｐｌｅｘｉｎｇ、略してＦＤＤ）通信システムでは、以下が提案されている。特殊タイムスロットがＦＤＤシステムにおいて追加され、基地局は、特殊タイムスロットにおいてチャネル状態情報を取得する。さらに、本発明の実施例では、ユーザ装置が特殊タイムスロットにおけるダウンリンク周波数リソース上で送信チャネルを有し、アップリンク物理信号を送信可能であり、基地局が特殊タイムスロットにおけるダウンリンク周波数リソース上で受信チャネルを有し、ユーザ装置によって送信されるアップリンク物理信号を受信できるように、ハードウェアリソースが調整される必要がある。さらに、特殊タイムスロットにおけるダウンリンク周波数リソース上の送信と受信との間の相互較正を実現するため、制御情報を利用することによって、特殊タイムスロットの配置がユーザ装置と基地局との間で確保される。
【００４６】
図１は、本発明の実施例１による基地局の概略的な構成図である。図１に示されるように、本実施例において提供される基地局１０は、処理モジュール１１、送信モジュール１２及び受信モジュール１３を有してもよい。
【００４７】
処理モジュール１１は、無線リソース使用に従ってダウンリンクデータ送信に使用される周波数範囲における特殊タイムスロットを決定するよう構成され、ここで、特殊タイムスロットにおけるダウンリンク周波数リソースはアップリンク物理信号を送信するのに使用される。送信モジュール１２は、特殊タイムスロットコンフィギュレーション情報をユーザ装置に送信するよう構成され、ここで、特殊タイムスロットコンフィギュレーション情報は、特殊タイムスロットにおけるダウンリンク周波数帯を介しアップリンク物理信号を送信するようユーザ装置に指示するのに使用される。受信モジュール１３は、特殊タイムスロットにおけるダウンリンク周波数帯を介しユーザ装置によって送信されるアップリンク物理信号を受信し、アップリンク物理信号に従ってチャネル状態情報を取得するよう構成される。
【００４８】
実際の適用では、無線リソースが決定される無線システムにおいて、基地局１０は、アップリンク物理信号を送信するため、ある期間において周波数リソースを動的に割り当ててもよい。具体的には、特殊タイムスロットの時間領域位置、持続時間及び送信周期は全て、例えば、システムリソース使用及び端末サービスに対する要求などに従って、無線リソース使用に従って基地局１０によって決定されてもよい。特殊タイムスロットにおけるダウンリンク周波数リソースは、アップリンク物理信号を送信するためのみに使用される。
【００４９】
特殊タイムスロットコンフィギュレーション情報は、特殊タイムスロットにおけるダウンリンク周波数帯において使用される周波数リソース通知情報を含むものであってもよいことが留意されるべきである。
【００５０】
第１の適用シナリオでは、周波数リソース通知情報は、特殊タイムスロットにおけるダウンリンク周波数リソース上でアップリンク物理信号を送信するようユーザ装置に指示するのに使用され、受信モジュール１３は相応して具体的に、特殊タイムスロットにおけるダウンリンク周波数リソース上でユーザ装置によって送信されるアップリンク物理信号を受信し、アップリンク物理信号に従ってチャネル推定を実行し、ダウンリンクチャネル状態情報を取得するよう構成されてもよい。
【００５１】
第２の適用シナリオでは、周波数リソース通知情報は、特殊タイムスロットにおけるダウンリンク周波数リソースとアップリンク周波数リソースとの双方においてアップリンク物理信号を送信するようユーザ装置に指示するのに使用されてもよく、受信モジュール１３は相応して具体的に、特殊タイムスロットにおけるダウンリンク周波数リソース上でユーザ装置によって送信されるアップリンク物理信号を受信し、アップリンク物理信号に従ってチャネル推定を実行し、ダウンリンクチャネル状態情報とアップリンクチャネル状態情報とを取得するよう構成されてもよい。
【００５２】
第３の適用シナリオでは、周波数リソース通知情報は、特殊タイムスロットにおけるダウンリンク周波数リソースの一部においてアップリンク物理信号を送信するようユーザ装置に指示するのに使用されてもよく、受信モジュール１３は相応して具体的に、特殊タイムスロットにおけるダウンリンク周波数リソースの一部においてユーザ装置によって送信されるアップリンク物理信号を受信し、アップリンク物理信号に従ってチャネル推定を実行し、ダウンリンクチャネル状態情報を取得するよう構成されてもよい。
【００５３】
任意的には、上記の３つの適用シナリオにおいて、マルチユーザ状況では、特殊タイムスロットコンフィギュレーション情報は更に期間通知情報を含んでもよく、ここで、期間通知情報は、ユーザ装置が特殊タイムスロットにおける周波数リソース上でアップリンク物理信号を送信する際に占有される期間を示し、アップリンク物理信号を送信するための開始時間位置を示すのに使用される。すなわち、全てのユーザ装置により送信されるアップリンク物理信号は、時分割多重接続によって区別されてもよい。全てのユーザ装置によって送信されるアップリンク物理信号は、特殊タイムスロットにおける周波数領域において連続的に分散され、異なる期間を占有する。
【００５４】
任意的には、他の実現可能な実現方式では、特殊タイムスロットコンフィギュレーション情報は更に符号化シーケンス通知情報を含んでもよく、ここで、符号化シーケンス通知情報は、ユーザ装置がアップリンク物理信号を送信する際に使用される符号化シーケンスを設定するのに使用される。すなわち、全てのユーザ装置によって送信されるアップリンク物理信号は、符号分割多重接続によって区別されてもよい。全てのユーザ装置によって送信されるアップリンク物理信号は、特殊タイムスロットにおける時間と周波数領域との双方において連続的に分散され、全てのユーザ装置によって送信されるアップリンク物理信号は、異なる直交符号を利用してもよい。
【００５５】
任意的には、更なる他の実現可能な実現方式では、特殊タイムスロットコンフィギュレーション情報は更に第１のサブ周波数リソース通知情報を含んでもよく、ここで、第１のサブ周波数リソース通知情報は、ユーザ装置が特殊タイムスロットにおいてアップリンク物理信号を送信する際に占有される第１のサブ周波数リソースを示すのに使用され、第１のサブ周波数リソースは、周波数リソース通知情報によって通知される周波数リソースの一部である。すなわち、全てのユーザ装置により送信されるアップリンク物理信号は、周波数分割多重接続によって区別されてもよい。特殊タイムスロットにおいて全てのユーザ装置により送信されるアップリンク物理信号は、周波数領域において間隔を置いて連続的に分散され、異なるユーザ装置により送信されるアップリンク物理信号は、合成構成において異なる周波数リソースを占有し、これにより、複数のユーザに対するダウンリンクチャネル推定は単位時間で実現可能である。
【００５６】
任意的には、更なる他の実現可能な実現方式では、特殊タイムスロットコンフィギュレーション情報は更に、ユーザクラスタ通知情報と第２のサブ周波数リソース通知情報とを含んでもよく、ここで、ユーザクラスタ通知情報はユーザクラスタを通知するのに使用され、ユーザクラスタは複数のユーザ装置を含み、第２のサブ周波数リソース通知情報は、ユーザクラスタにおけるユーザ装置のそれぞれが特殊タイムスロットにおいてアップリンク物理信号を送信する際に使用される第２のサブ周波数リソースを通知するのに使用される。すなわち、基地局１０は、ユーザクラスタを構成するため、ルールに従ってユーザ装置をグループ化してもよい。各ユーザクラスタは周波数サブバンドを占有し、各ユーザクラスタは複数のユーザ装置を含む。基地局１０が各ユーザクラスタにおけるユーザに対してチャネル推定を実行するとき、基地局１０は、ユーザクラスタにより占有されるサブ周波数リソースをスキャンしさえすればよい。同じユーザクラスタにおける全てのユーザ装置は更に、時分割多重接続方式、周波数分割多重接続方式又は符号分割多重接続によってアップリンク物理信号を送信してもよく、アップリンク物理信号は、特殊タイムスロットにおける周波数領域において連続的に分散されるか、又は間隔を置いて分散される。
【００５７】
本実施例における技術的手段によると、基地局の処理モジュールは、無線リソース使用に従ってダウンリンクデータ送信に使用される周波数範囲において特殊タイムスロットを決定し、基地局の送信モジュールは、特殊タイムスロットコンフィギュレーション情報をユーザ装置に送信し、ここで、特殊タイムスロットコンフィギュレーション情報は、特殊タイムスロットにおけるダウンリンク周波数帯を介しアップリンク物理信号を送信するようユーザ装置を設定するのに使用され、受信モジュールは、チャネル状態情報を取得するため、ユーザ装置により送信されたアップリンク物理信号を受信した後、アップリンク物理信号に従ってチャネル推定を実行する。ユーザ装置がチャネル状態情報を取得し、それからチャネル状態情報を基地局にフィードバックする従来技術における技術的手段と比較して、基地局によってチャネル状態情報を取得する際に生じるシステムオーバヘッドが低減される。
【００５８】
図２は、本発明の実施例１によるユーザ装置の概略的な構成図である。図２に示されるように、本実施例において提供されるユーザ装置２０は、受信モジュール２１及び送信モジュール２２を有してもよい。
【００５９】
受信モジュール２１は、基地局によって送信される特殊タイムスロットコンフィギュレーション情報を受信するよう構成され、ここで、特殊タイムスロットコンフィギュレーション情報は、特殊タイムスロットにおけるダウンリンク周波数帯を介しアップリンク物理信号を送信するようユーザ装置２０に指示するのに使用され、特殊タイムスロットは、ダウンリンクデータ送信に使用される周波数範囲において無線リソース使用に従って基地局によって決定され、特殊タイムスロットにおけるダウンリンク周波数リソースはアップリンク物理信号を送信するのに使用される。送信モジュール２２は、基地局がアップリンク物理信号に従ってチャネル状態情報を取得するように、特殊タイムスロットにおけるダウンリンク周波数帯を介しアップリンク物理信号を基地局に送信するよう構成される。
【００６０】
特殊タイムスロットコンフィギュレーション情報は、特殊タイムスロットにおけるダウンリンク周波数帯において使用される周波数リソース通知情報を含むことが留意されるべきである。任意的には、周波数リソース通知情報は、特殊タイムスロットにおけるダウンリンク周波数リソース上でアップリンク物理信号を送信するようユーザ装置に指示するのに使用されてもよく、送信モジュール２２は相応して具体的に、特殊タイムスロットにおけるダウンリンク周波数リソース上でアップリンク物理信号を基地局に送信するよう構成されてもよい。任意的には、周波数リソース通知情報は、特殊タイムスロットにおけるダウンリンク周波数リソースとアップリンク周波数リソースとの双方においてアップリンク物理信号を送信するようユーザ装置２０に指示するのに使用されてもよく、送信モジュール２２は相応して具体的に、特殊タイムスロットにおけるダウンリンク周波数リソースとアップリンク周波数リソースとの双方においてアップリンク物理信号を基地局に送信するよう構成されてもよい。任意的には、周波数リソース通知情報は、特殊タイムスロットにおけるダウンリンク周波数リソースの一部においてアップリンク物理信号を送信するようユーザ装置２０に指示するのに使用されてもよく、送信モジュール２２は相応して具体的に、特殊タイムスロットにおけるダウンリンク周波数リソースの一部においてアップリンク物理信号を基地局に送信するよう構成されてもよい。
【００６１】
さらに、マルチユーザ状況において、実現可能な実現方式では、特殊タイムスロットコンフィギュレーション情報は更に期間通知情報を含んでもよく、ここで、期間通知情報は、ユーザ装置２０が特殊タイムスロットにおける周波数リソース上でアップリンク物理信号を送信する際に占有される期間を示し、アップリンク物理信号を送信するための開始時間位置を示すのに使用される。すなわち、全てのユーザ装置２０によって送信されるアップリンク物理信号は、時分割多重接続によって区別されてもよい。全てのユーザ装置２０によって送信されるアップリンク物理信号は、特殊タイムスロットにおける周波数領域において連続的に分散され、異なる期間を占有する。
【００６２】
他の実現可能な実現方式では、特殊タイムスロットコンフィギュレーション情報は更に符号化シーケンス通知情報を含んでもよく、ここで、符号化シーケンス通知情報は、ユーザ装置２０がアップリンク物理信号を送信する際に使用される符号化シーケンスを設定するのに使用される。すなわち、全てのユーザ装置２０によって送信されるアップリンク物理信号は、符号分割多重接続によって区別されてもよい。全てのユーザ装置２０によって送信されるアップリンク物理信号は、特殊タイムスロットの時間及び周波数領域の双方において連続的に分散され、全てのユーザ装置２０により送信されるアップリンク物理信号は異なる直交符号を利用してもよい。
【００６３】
更なる他の実現可能な実現方式では、特殊タイムスロットコンフィギュレーション情報は更に第１のサブ周波数リソース通知情報を含んでもよく、ここで、第１のサブ周波数リソース通知情報は、ユーザ装置２０が特殊タイムスロットにおいてアップリンク物理信号を送信する際に占有される第１のサブ周波数リソースを示すのに使用され、第１のサブ周波数リソースは、周波数リソース通知情報によって通知される周波数リソースの一部である。すなわち、全てのユーザ装置２０によって送信されたアップリンク物理信号は、周波数分割多重接続によって区別されてもよい。特殊タイムスロットにおいて全てのユーザ装置２０により送信されるアップリンク物理信号は、周波数領域において間隔を置いて連続的に分散され、異なるユーザ装置２０により送信されるアップリンク物理信号は、合成構成において異なる周波数リソースを占有し、これにより、複数のユーザに対するダウンリンクチャネル推定は単位時間で実現可能である。
【００６４】
更なる他の実現可能な実現方式では、特殊タイムスロットコンフィギュレーション情報は更に、ユーザクラスタ通知情報と第２のサブ周波数リソース通知情報とを含んでもよく、ここで、ユーザクラスタ通知情報はユーザクラスタを通知するのに使用され、ユーザクラスタは複数のユーザ装置２０を含み、第２のサブ周波数リソース通知情報は、ユーザクラスタにおけるユーザ装置のそれぞれが特殊タイムスロットにおいてアップリンク物理信号を送信する際に使用される第２のサブ周波数リソースを通知するのに使用される。すなわち、基地局は、ユーザクラスタを構成するため、ルールに従ってユーザ装置２０をグループ化してもよい。各ユーザクラスタは周波数サブバンドを占有し、各ユーザクラスタは複数のユーザ装置２０を有する。基地局が各ユーザクラスタにおけるユーザに対してチャネル推定を実行すると、基地局は、ユーザクラスタにより占有されるサブ周波数リソースをスキャンしさえすればよい。同じユーザクラスタにおける全てのユーザ装置２０は更に、時分割多重接続方式、周波数分割多重接続方式又は符号分割多重接続方式においてアップリンク物理信号を送信してもよく、アップリンク物理信号は、特殊タイムスロットにおける周波数領域において連続的に分散されるか、又は間隔を置いて分散される。
【００６５】
本実施例における技術的手段によると、ユーザ装置の受信モジュールは、基地局によって送信される特殊タイムスロットコンフィギュレーション情報を受信し、ここで、特殊タイムスロットコンフィギュレーション情報は、特殊タイムスロットにおけるダウンリンク周波数帯を介しアップリンク物理信号を送信するようユーザ装置を設定するのに利用され、特殊タイムスロットは、ダウンリンクデータ送信に使用される周波数範囲において無線リソース使用に従って基地局によって決定され、特殊タイムスロットにおけるダウンリンク周波数リソースは、アップリンク物理信号を送信するのに使用され、ユーザ装置の送信モジュールは、基地局がアップリンク物理信号に従ってチャネル推定を実行するように、特殊タイムスロットコンフィギュレーション情報に従って特殊タイムスロットにおけるダウンリンク周波数帯を介しアップリンク物理信号を基地局に送信し、チャネル状態情報を取得する。ユーザ装置がチャネル状態情報を取得し、それからチャネル状態情報を基地局にフィードバックする従来技術における技術的手段と比較して、基地局によってチャネル状態情報を取得する際に生じるシステムオーバヘッドが低減される。
【００６６】
図３は、本発明の実施例１によるチャネル状態情報取得方法のフローチャートである。図３に示されるように、本実施例において提供されるチャネル状態情報取得方法は、具体的には基地局によって実行されてもよい。本実施例において提供される方法は以下を含むものであってもよい。
【００６７】
Ｓ１０１  基地局が、無線リソース使用に従ってダウンリンクデータ送信に使用される周波数範囲における特殊タイムスロットを決定し、ここで、特殊タイムスロットにおけるダウンリンク周波数リソースはアップリンク物理信号を送信するのに使用される。
【００６８】
実際の適用では、無線リソースが決定される無線システムにおいて、基地局は、アップリンク物理信号を送信するため、ある期間において周波数リソースを動的に割り当ててもよい。具体的には、特殊タイムスロットの時間領域位置、持続時間及び送信周期の全てが、例えば、システムリソース使用及び端末サービスに対する要求などに従って、無線リソース使用に従って基地局によって決定されてもよい。特殊タイムスロットにおけるダウンリンク周波数リソースは、アップリンク物理信号を送信するためにのみ使用される。
【００６９】
Ｓ１０２  基地局が、特殊タイムスロットコンフィギュレーション情報をユーザ装置に送信し、ここで、特殊タイムスロットコンフィギュレーション情報は、特殊タイムスロットにおけるダウンリンク周波数帯を介しアップリンク物理信号を送信するようユーザ装置に指示するのに使用される。
【００７０】
特殊タイムスロットコンフィギュレーション情報は、特殊タイムスロットにおけるダウンリンク周波数帯において使用される周波数リソース通知情報を含み、ここで、周波数リソース通知情報は、特殊タイムスロットにおけるダウンリンク周波数リソース上でアップリンク物理信号を送信するようユーザ装置に指示するのに使用されるか、又は、周波数リソース通知情報は、特殊タイムスロットにおけるダウンリンク周波数リソースとアップリンク周波数リソースとの双方においてアップリンク物理信号を送信するようユーザ装置に指示するのに使用されるか、又は、周波数リソース通知情報は、特殊タイムスロットにおけるダウンリンク周波数リソースの一部においてアップリンク物理信号を送信するようユーザ装置に指示するのに使用され、これは本実施例において限定されないことが留意されるべきである。
【００７１】
Ｓ１０３  基地局が、特殊タイムスロットにおけるダウンリンク周波数帯を介しユーザ装置によって送信されるアップリンク物理信号を受信し、アップリンク物理信号に従ってチャネル状態情報を取得する。
【００７２】
任意的には、実際の適用では、本実施例において以下の複数の適用シナリオがある。
【００７３】
第１の適用シナリオ：基地局は、アップリンク物理信号を送信するため、特殊タイムスロットにおける全てのダウンリンク周波数リソースを割当て、ダウンリンクチャネルを使用することによって、特殊タイムスロットコンフィギュレーション情報をユーザ装置に送信してもよく、ユーザ装置は、特殊タイムスロットコンフィギュレーション情報に従って基地局の特殊タイムスロットとそれの特殊タイムスロットとを揃える。この場合、特殊タイムスロットコンフィギュレーション情報に含まれる周波数リソース通知情報は、特殊タイムスロットにおけるダウンリンク周波数リソース上でアップリンク物理信号を送信するようユーザ装置に指示するのに使用されてもよく、ユーザ装置は、特殊タイムスロットコンフィギュレーション情報に従って特殊タイムスロットにおけるダウンリンク周波数リソース上でアップリンク物理信号を送信し、相応して、基地局は、特殊タイムスロットにおけるダウンリンク周波数リソースにおいてユーザ装置により送信されるアップリンク物理信号を受信し、アップリンク物理信号に従ってチャネル推定を実行し、ダウンリンクチャネル状態情報を取得する。具体的には、ユーザ装置は、アップリンク物理信号を基地局に送信し、基地局は、受信したアップリンク物理信号に従ってアップリンクチャネル推定を実行し、それからアップリンクチャネルとダウンリンクチャネルとの間の相互関係を使用することによって、ダウンリンクチャネル状態情報を取得する。
【００７４】
第２の適用シナリオ：基地局は、アップリンク物理信号を送信するため、特殊タイムスロットにおけるダウンリンク周波数リソースとアップリンク周波数リソースとの双方を割当て、ダウンリンクチャネルを使用することによって、特殊タイムスロットコンフィギュレーション情報をユーザ装置に送信してもよく、ユーザ装置は、特殊タイムスロットコンフィギュレーション情報に従って基地局の特殊タイムスロットとそれの特殊タイムスロットとを揃える。この場合、特殊タイムスロットコンフィギュレーション情報に含まれる周波数リソース通知情報は、特殊タイムスロットにおけるダウンリンク周波数リソースとアップリンク周波数リソースとの双方においてアップリンク物理信号を送信するようユーザ装置に指示するのに使用され、ユーザ装置は、特殊タイムスロットコンフィギュレーション情報に従って特殊タイムスロットにおけるダウンリンク周波数リソースとアップリンク周波数リソースとの双方においてアップリンク物理信号を同時送信し、基地局は、特殊タイムスロットにおけるダウンリンク周波数リソースにおいてユーザ装置により送信されるアップリンク物理信号を受信し、アップリンク物理信号に従ってチャネル推定を実行し、ダウンリンクチャネル状態情報及びアップリンクチャネル状態情報を取得する。
【００７５】
第３の適用シナリオ：基地局は、アップリンク物理信号を送信するため、特殊タイムスロットにおけるダウンリンク周波数リソースの一部を割当て、ダウンリンクチャネルを使用することによって、特殊タイムスロットコンフィギュレーション情報をユーザ装置に送信してもよく、ユーザ装置は、特殊タイムスロットコンフィギュレーション情報に従って基地局の特殊タイムスロットとそれの特殊タイムスロットとを揃える。この場合、特殊タイムスロットコンフィギュレーション情報に含まれる周波数リソース通知情報は、特殊タイムスロットにおけるダウンリンク周波数リソースの一部においてアップリンク物理信号を送信するようユーザ装置に指示するのに利用され、ユーザ装置は、特殊タイムスロットコンフィギュレーション情報に従って特殊タイムスロットにおけるダウンリンク周波数リソースの一部においてアップリンク物理信号を送信し、基地局は、特殊タイムスロットにおけるダウンリンク周波数リソースの一部においてユーザ装置により送信されるアップリンク物理信号を受信し、アップリンク物理信号に従ってチャネル推定を実行し、ダウンリンクチャネル状態情報を取得する。
【００７６】
任意的には、上記の３つの適用シナリオにおいて、マルチユーザ状況では、実現可能な実現方式において、特殊タイムスロットコンフィギュレーション情報は更に期間通知情報を含んでもよく、ここで、期間通知情報は、ユーザ装置が特殊タイムスロットにおける周波数リソース上でアップリンク物理信号を送信する際に占有される期間を示し、アップリンク物理信号を送信するための開始時間位置を示すのに使用される。すなわち、全てのユーザ装置により送信されるアップリンク物理信号は、時分割多重接続によって区別されてもよい。全てのユーザ装置により送信されるアップリンク物理信号は、特殊タイムスロットにおける周波数領域において連続的に分散され、異なる期間を占有する。
【００７７】
任意的には、他の実現可能な実現方式では、特殊タイムスロットコンフィギュレーション情報は更に符号化シーケンス通知情報を含んでもよく、ここで、符号化シーケンス通知情報は、ユーザ装置がアップリンク物理信号を送信する際に使用される符号化シーケンスを設定するのに使用される。すなわち、全てのユーザ装置により送信されるアップリンク物理信号は、符号分割多重接続によって区別されてもよい。全てのユーザ装置により送信されるアップリンク物理信号は、特殊タイムスロットにおける時間及び周波数領域の双方において連続的に分散され、全てのユーザ装置により送信されるアップリンク物理信号は、異なる直交符号を使用してもよい。
【００７８】
任意的には、更なる他の実現可能な実現方式では、特殊タイムスロットコンフィギュレーション情報は更に第１のサブ周波数リソース通知情報を含んでもよく、ここで、第１のサブ周波数リソース通知情報は、ユーザ装置が特殊タイムスロットにおいてアップリンク物理信号を送信する際に占有される第１のサブ周波数リソースを示すのに使用され、第１のサブ周波数リソースは、周波数リソース通知情報によって通知される周波数リソースの一部である。すなわち、全てのユーザ装置により送信されるアップリンク物理信号は、周波数分割多重接続により区別されてもよい。特殊タイムスロットにおいて全てのユーザ装置により送信されるアップリンク物理信号は、周波数領域において連続して間隔を置いて分散され、異なるユーザ装置により送信されるアップリンク物理信号は、合成構成において異なる周波数リソースを占有し、これにより、複数のユーザに対するダウンリンクチャネル推定は単位時間において実現可能である。
【００７９】
任意的には、更なる他の実現可能な実現方式において、特殊タイムスロットコンフィギュレーション情報は更に、ユーザクラスタ通知情報と第２のサブ周波数リソース通知情報とを含んでもよく、ここで、ユーザクラスタ通知情報はユーザクラスタを通知するのに使用され、ユーザクラスタは複数のユーザ装置を含み、第２のサブ周波数リソース通知情報は、ユーザクラスタにおけるユーザ装置のそれぞれが特殊タイムスロットにおいてアップリンク物理信号を送信する際に使用される第２のサブ周波数リソースを通知するのに使用される。すなわち、基地局は、ユーザクラスタを構成するため、ルールに従ってユーザ装置をグループ化してもよい。各ユーザクラスタは周波数サブバンドを占有し、各ユーザクラスタは複数のユーザ装置を含む。すなわち、基地局は、ユーザクラスタを構成するため、ルールに従ってユーザ装置をグループ化してもよい。各ユーザクラスタは周波数サブバンドを占有し、各ユーザクラスタは複数のユーザ装置を含む。基地局が各ユーザクラスタにおけるユーザに対してチャネル推定を実行するとき、基地局は、ユーザクラスタによって占有されるサブ周波数リソースをスキャンしさえすればよい。同じユーザクラスタにおける全てのユーザ装置は更に、時分割多重接続方式、周波数分割多重接続方式又は符号分割多重接続方式においてアップリンク物理信号を送信してもよく、アップリンク物理信号は、特殊タイムスロットにおける周波数領域において連続的に分散されるか、又は間隔を置いて分散される。
【００８０】
本実施例における技術的手段によると、基地局は、無線リソース使用に従ってダウンリンクデータ送信に使用される周波数範囲において特殊タイムスロットを決定し、特殊タイムスロットコンフィギュレーション情報をユーザ装置に送信し、ここで、特殊タイムスロットコンフィギュレーション情報は、特殊タイムスロットにおけるダウンリンク周波数帯を介しアップリンク物理信号を送信するようユーザ装置を設定するのに使用され、チャネル状態情報を取得するため、ユーザ装置により送信されたアップリンク物理信号を受信した後、アップリンク物理信号に従ってチャネル推定を実行する。ユーザ装置がチャネル状態情報を取得し、それからチャネル状態情報を基地局にフィードバックする従来技術における技術的手段と比較して、基地局によってチャネル状態情報を取得する際に生じるシステムオーバヘッドが低減される。
【００８１】
図４は、本発明の実施例２によるチャネル状態情報取得方法のフローチャートである。図４に示されるように、本実施例において提供されるチャネル状態情報取得方法は、具体的にはユーザ装置によって実行されてもよい。本実施例において提供される方法は以下を含むものであってもよい。
【００８２】
Ｓ２０１  ユーザ装置が、基地局によって送信される特殊タイムスロットコンフィギュレーション情報を受信し、ここで、特殊タイムスロットコンフィギュレーション情報は、特殊タイムスロットにおけるダウンリンク周波数帯を介しアップリンク物理信号を送信するようユーザ装置を設定するのに使用され、特殊タイムスロットは、ダウンリンクデータ送信に使用される周波数範囲において無線リソース使用に従って基地局によって決定され、特殊タイムスロットにおけるダウンリンク周波数リソースはアップリンク物理信号を送信するのに使用される。
【００８３】
特殊タイムスロットコンフィギュレーション情報は、特殊タイムスロットにおけるダウンリンク周波数帯において使用される周波数リソース通知情報を含み、ここで、周波数リソース通知情報は、特殊タイムスロットにおけるダウンリンク周波数リソース上でアップリンク物理信号を送信するようユーザ装置に指示するのに使用されるか、又は、周波数リソース通知情報は、特殊タイムスロットにおけるダウンリンク周波数リソースとアップリンク周波数リソースとの双方においてアップリンク物理信号を送信するようユーザ装置に指示するのに使用されるか、又は、周波数リソース通知情報は、特殊タイムスロットにおけるダウンリンク周波数リソースの一部においてアップリンク物理信号を送信するようユーザ装置に指示するのに使用され、これは本実施例において限定されないことが留意されるべきである。
【００８４】
Ｓ２０２  ユーザ装置が、基地局がアップリンク物理信号に従ってチャネル状態情報を取得するように、特殊タイムスロットにおけるダウンリンク周波数帯を介しアップリンク物理信号を基地局に送信する。
【００８５】
実際の適用では、任意的には、周波数リソース通知情報が特殊タイムスロットにおけるダウンリンク周波数リソース上でアップリンク物理信号を送信するようユーザ装置に指示するのに使用されるとき、ユーザ装置は、特殊タイムスロットにおけるダウンリンク周波数リソース上でアップリンク物理信号を基地局に送信し、これにより、基地局は、特殊タイムスロットにおけるダウンリンク周波数リソースにおいてユーザ装置により送信されるアップリンク物理信号を受信し、アップリンク物理信号に従ってチャネル推定を実行し、ダウンリンクチャネル状態情報を取得する。具体的には、基地局は、ユーザ装置により送信された受信したアップリンク物理信号に従ってアップリンクチャネル推定を実行し、それからアップリンクチャネルとダウンリンクチャネルとの間の相互関係を使用することによって、ダウンリンクチャネル状態情報を取得してもよい。
【００８６】
任意的には、周波数リソース通知情報が特殊タイムスロットにおけるダウンリンク周波数リソースとアップリンク周波数リソースとの双方においてアップリンク物理信号を送信するようユーザ装置に指示するのに使用されるとき、ユーザ装置は、特殊タイムスロットにおけるダウンリンク周波数リソースとアップリンク周波数リソースとの双方においてアップリンク物理信号を基地局に送信し、これにより、基地局は、特殊タイムスロットにおけるダウンリンク周波数リソースにおいてユーザ装置により送信されるアップリンク物理信号を受信し、アップリンク物理信号に従ってチャネル推定を実行し、ダウンリンクチャネル状態情報とアップリンクチャネル状態情報とを取得する。
【００８７】
任意的には、周波数リソース通知情報が特殊タイムスロットにおけるダウンリンク周波数リソースの一部においてアップリンク物理信号を送信するようユーザ装置に指示するのに使用されるとき、ユーザ装置は、特殊タイムスロットにおけるダウンリンク周波数リソースの一部においてアップリンク物理信号を基地局に送信し、これにより、基地局は、特殊タイムスロットにおけるダウンリンク周波数リソースの一部においてユーザ装置により送信されるアップリンク物理信号を受信し、アップリンク物理信号に従ってチャネル推定を実行し、ダウンリンクチャネル状態情報を取得する。
【００８８】
さらに、マルチユーザ状況では、実現可能な実現方式において、特殊タイムスロットコンフィギュレーション情報は更に期間通知情報を含んでもよく、ここで、期間通知情報は、ユーザ装置が特殊タイムスロットにおける周波数リソース上でアップリンク物理信号を送信する際に占有される期間を示し、アップリンク物理信号を送信するための開始時間位置を示すのに使用される。すなわち、全てのユーザ装置により送信されるアップリンク物理信号は、時分割多重接続により区別されてもよい。全てのユーザ装置により送信されるアップリンク物理信号は、特殊タイムスロットにおける周波数領域において連続的に分散され、異なる期間を占有する。
【００８９】
他の更なる実現方式では、特殊タイムスロットコンフィギュレーション情報は更に符号化シーケンス通知情報を含んでもよく、ここで、符号化シーケンス通知情報は、ユーザ装置がアップリンク物理信号を送信する際に使用される符号化シーケンスを設定するのに使用される。すなわち、全てのユーザ装置により送信されるアップリンク物理信号は、符号分割多重接続により区別されてもよい。全てのユーザ装置により送信されるアップリンク物理信号は、特殊タイムスロットにおける時間及び周波数領域の双方において連続的に分散され、全てのユーザ装置により送信されるアップリンク物理信号は、異なる直交符号を使用してもよい。
【００９０】
更なる他の実現可能な実現方式では、特殊タイムスロットコンフィギュレーション情報は更に第１のサブ周波数リソース通知情報を含んでもよく、ここで、第１のサブ周波数リソース通知情報は、ユーザ装置が特殊タイムスロットにおいてアップリンク物理信号を送信する際に占有される第１のサブ周波数リソースを示すのに使用され、第１のサブ周波数リソースは、周波数リソース通知情報によって通知される周波数リソースの一部である。すなわち、全てのユーザ装置により送信されるアップリンク物理信号は、周波数分割多重接続により区別されてもよい。特殊タイムスロットにおいて全てのユーザ装置により送信されるアップリンク物理信号は、周波数領域において連続的に間隔を置いて分散され、異なるユーザ装置により送信されるアップリンク物理信号は、合成構成において異なる周波数リソースを占有し、これにより、複数のユーザに対するダウンリンクチャネル推定は単位時間において実現可能である。
【００９１】
更なる他の実現可能な実現方式では、特殊タイムスロットコンフィギュレーション情報は更に、ユーザクラスタ通知情報と第２のサブ周波数リソース通知情報とを含んでもよく、ここで、ユーザクラスタ通知情報はユーザクラスタを通知するのに使用され、ユーザクラスタは複数のユーザ装置を含み、第２のサブ周波数リソース通知情報は、ユーザクラスタにおけるユーザ装置のそれぞれが特殊タイムスロットにおいてアップリンク物理信号を送信する際に使用される第２のサブ周波数リソースを通知するのに使用される。すなわち、基地局は、ユーザクラスタを構成するため、ルールに従ってユーザ装置をグループ化してもよい。各ユーザクラスタは周波数サブバンドを占有し、各ユーザクラスタは複数のユーザ装置を含む。基地局が各ユーザクラスタにおけるユーザに対してチャネル推定を実行するとき、基地局は、ユーザクラスタにより占有されるサブ周波数リソースをスキャンしさえすればよい。同じユーザクラスタにおける全てのユーザ装置は更に、時分割多重接続方式、周波数分割多重接続方式又は符号分割多重接続方式においてアップリンク物理信号を送信してもよく、アップリンク物理信号は、特殊タイムスロットにおける周波数領域において連続的に分散されるか、又は間隔を置いて分散される。
【００９２】
本実施例における技術的手段によると、ユーザ装置は、基地局によって送信される特殊タイムスロットコンフィギュレーション情報を受信し、ここで、特殊タイムスロットコンフィギュレーション情報は、特殊タイムスロットにおけるダウンリンク周波数帯を介しアップリンク物理信号を送信するようユーザ装置を設定するのに利用され、特殊タイムスロットは、ダウンリンクデータ送信に使用される周波数範囲において無線リソース使用に従って基地局によって決定され、特殊タイムスロットにおけるダウンリンク周波数リソースは、アップリンク物理信号を送信するのに使用され、ユーザ装置は、基地局がアップリンク物理信号に従ってチャネル推定を実行するように、特殊タイムスロットコンフィギュレーション情報に従って特殊タイムスロットにおけるダウンリンク周波数帯を介しアップリンク物理信号を基地局に送信し、チャネル状態情報を取得する。ユーザ装置がチャネル状態情報を取得し、それからチャネル状態情報を基地局にフィードバックする従来技術における技術的手段と比較して、基地局によってチャネル状態情報を取得する際に生じるシステムオーバヘッドが低減される。
【００９３】
本発明において提供される複数の実施例において、開示された装置及び方法は他の方式で実現されてもよいことが理解されるべきである。例えば、説明された装置の実施例は単なる例示的なものである。例えば、ユニットの分割は単なる論理機能の分割であり、実際の実現形態では他の分割であってもよい。例えば、複数のユニット又はコンポーネントは他のシステムに合成又は統合されてもよいし、あるいは、いくつかの特徴は無視又は実行されなくてもよい。さらに、表示又は説明された相互結合、直接的な結合又は通信接続は、いくつかのインタフェースを使用することによって実現されてもよい。装置又はユニット間の間接的な結合又は通信接続は、電子、機械又は他の形態で実現されてもよい。
【００９４】
別々のパーツとして説明されたユニットは物理的に別々であってもよいし、又はなくてもよく、ユニットとして表示されるパーツは、物理的ユニットであってもよいし、又はなくてもよく、１つの位置に配置されてもよいし、あるいは、複数のネットワークユニット上に分散されてもよい。ユニットの一部又は全ては、実施例の解決策の課題を実現するため、実際のニーズに従って選択されてもよい。
【００９５】
さらに、本発明の実施例における機能ユニットは、１つの処理ユニットに統合されてもよいし、あるいは、ユニットのそれぞれは物理的に単独で存在してもよいし、あるいは、２つ以上のユニットが１つのユニットに統合される。統合されたユニットは、ハードウェアの形態で実現されてもよいし、あるいは、ソフトウェア機能ユニットに加えてハードウェアの形態で実現されてもよい。
【００９６】
上記の統合されたユニットがソフトウェア機能ユニットの形態において実現されるとき、統合されたユニットはコンピュータ可読記憶媒体に記憶されてもよい。ソフトウェア機能ユニットは、記憶媒体に記憶され、本発明の実施例において説明された方法のステップの一部を実行するようコンピュータ装置（パーソナルコンピュータ、サーバ、ネットワーク装置などであってもよい）又はプロセッサ（ｐｒｏｃｅｓｓｏｒ）に指示するための複数の命令を含む。上記の記憶媒体は、ＵＳＢフラッシュドライブ、着脱可能ハードディスク、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク又は光ディスクなど、プログラムコードを記憶可能な何れかの媒体を含む。
【００９７】
便宜的且つ簡潔な説明の目的のため、上記の機能モジュールの分割は説明のための具体例として解釈されることは、当業者により明確に理解されうる。実際の適用では、上記の機能は異なる機能モジュールに配分され、要求に従って実現可能であり、すなわち、装置の内部構造は上述した機能の全て又は一部を実現するため、異なる機能モジュールに分割される。上記の装置の詳細な動作処理について、上記の方法の実施例における対応する処理が参照されてもよく、詳細はここでは再説明されない。
【００９８】
最後に、上記の実施例は本発明の技術的手段を説明することを単に意図したものであり、本発明を限定することを意図したものでないことが留意されるべきである。本発明は上記の実施例を参照して詳細に説明されるが、当業者は、本発明の実施例の技術的手段の範囲から逸脱することなく、上記の実施例において説明される技術的手段に対して依然として修正を行ってもよいし、あるいはその一部又は全ての技術的特徴に対して等価な置換を行ってもよいことを理解すべきである。
【図１】
0006470303.tif 000002
【図２】
0006470303.tif 000003
【図３】
0006470303.tif 000004
【図４】
0006470303.tif 000005